(57)【要約】【課題】  駆動手段が駆動中に電池の電力切れで停止することを、簡易な構成で防止できる電力供給装置、その電力供給装置を備えた記録装置及び電子機器、並びに該記録装置を備えた電力供給システムを提供することにある。【解決手段】  駆動部２９０に電力を供給する電池２３０と、駆動部２９０に、少なくとも、所定の電力を供給する補助電池２４０と、電池２３０の残量を検出する残量検出回路２５０と、駆動部２９０への電力供給を電池２３０と補助電池２４０の間で切り替えるスイッチＳＷ１１及びＳＷ１２と、スイッチＳＷ１１及びＳＷ１２を制御する出力制御回路２６０と、を備えた。更に、出力制御回路２６０は、残量検出回路２５０から送信された検出信号に基づいて、スイッチＳＷ１１及びＳＷ１２を動作させた。これにより、駆動部２９０が駆動中に停止することを、簡易な構成で防止できる。【選択図】      図２
2006285605.tif 000002
【特許請求の範囲】
【請求項１】
駆動手段に電力を供給する第１の電池と、
前記駆動手段に、少なくとも、所定の電力を供給する第２の電池と、
前記第１の電池の残量を検出する検出手段と、
前記駆動手段への電力供給を前記第１の電池と前記第２の電池の間で切り替える切替手段と、
前記切替手段を制御する制御手段と、を備える電力供給装置において、
前記制御手段は、前記検出手段から送信された検出信号に基づいて、前記切替手段を動作させることを特徴とする電力供給装置。
【請求項２】
駆動手段に電力を供給する第１の電池と、
前記駆動手段に、少なくとも、所定の電力を供給する第２の電池と、
前記第１の電池の残量を検出する検出手段と、
前記第１の電池又は前記第２の電池から供給された電圧を昇圧し、前記駆動手段へ供給する昇圧手段と、
該昇圧手段への電力供給を前記第１の電池と前記第２の電池の間で切り替える出力切替手段と、
前記出力切替手段を制御する出力制御手段と、
前記駆動手段を制御する駆動制御手段と、を備える電力供給装置において、
前記検出手段は、前記第１の電池の電力が所定値まで低下した場合に、前記駆動制御手段に検出信号を送信し、
前記駆動制御手段は、前記検出信号に基づいて、前記駆動手段の動作状態を検出し、前記駆動手段が駆動中の場合に、出力切替信号を送信し、
前記出力制御手段は、前記出力切替信号に基づいて、前記出力切替手段を動作させて、前記第１の電池の代わりに、前記第２の電池の電力を前記昇圧手段に供給することを特徴とする電力供給装置。
【請求項３】
前記駆動制御手段は、前記駆動手段が待機中の場合には、前記出力切替信号を送信せず、前記第１の電池の電力を前記昇圧手段に供給させることを特徴とする請求項２に記載の電力供給装置。
【請求項４】
前記第１の電池及び前記第２の電池は、充放電可能な２次電池であることを特徴とする請求項２又は３に記載の電力供給装置。
【請求項５】
更に、前記第１の電池と前記第２の電池を充電する充電手段と、
前記充電手段からの電力供給を前記第１の電池と前記第２の電池の間で切り替える入力切替手段と、
前記入力切替手段を制御する入力制御手段と、備える請求項４に記載の電力供給装置において、
前記入力制御手段は、前記入力切替手段を動作させて、前記第１の電池又は、前記第２の電池の何れか一方を充電させた後、
再度、前記入力切替手段を動作させて、前記電池の他方を充電させることを特徴とする電力供給装置。
【請求項６】
駆動手段に電力を供給する第１の電池と、
前記駆動手段に、少なくとも、所定の電力を供給する第２の電池と、
前記第１の電池の残量を検出する検出手段と、
前記第１の電池及び前記第２の電池から供給された電圧を昇圧し、前記駆動手段へ供給する昇圧手段と、
前記第１の電池から前記昇圧手段への電力供給経路を開閉する第１の開閉手段と、
前記第２の電池から前記昇圧手段へ供給する電圧を降下させる電圧降下素子と、
該電圧降下素子を短絡させる第２の開閉手段と、
前記第１の開閉手段及び前記第２の開閉手段を制御する出力制御手段と、
前記駆動手段を制御する駆動制御手段と、を備える電力供給装置において、
前記検出手段は、前記第１の電池の電力が所定値まで低下した場合に、前記駆動制御手段に検出信号を送信し、
前記駆動制御手段は、前記検出信号に基づいて、前記駆動手段の動作状態を検出し、前記駆動手段が駆動中の場合に、出力切替信号を送信し、
前記出力制御手段は、前記出力切替信号に基づいて、前記第１の開閉手段を開放させた後、前記第２の開閉手段を閉鎖することを特徴とする電力供給装置。
【請求項７】
前記駆動制御手段は、前記駆動手段が待機中の場合には、前記出力切替信号を送信せず、前記第１の電池及び前記第２の電池の電力を前記昇圧手段に供給させることを特徴とする請求項６に記載の電力供給装置。
【請求項８】
前記第１の電池及び前記第２の電池は、充放電可能な２次電池であることを特徴とする請求項６又は７に記載の電力供給装置。
【請求項９】
更に、前記第１の電池と前記第２の電池を充電する充電手段と、
放電時に、前記第１の電池及び前記第２の電池から充電手段に流れる逆電流を阻止する逆電流阻止手段と、を備える請求項８に記載の電力供給装置において、
前記充電手段は、前記逆電流阻止手段の前記第１の電池側の電圧を監視する電圧監視手段と、前記第１の電池及び前記第２の電池を同時に充電する充電回路を備え、
前記電圧監視手段は、前記第１の電池側の前記電圧が所定値になった場合に、前記充電回路による充電を停止させることを特徴とする電力供給装置。
【請求項１０】
更に、前記第１の電池と前記第２の電池を充電する充電手段と、
前記第２の電池から前記第１の電池への経路を開閉する第３の開閉手段と、
前記第３の開閉手段に流れる電流を監視する電流監視手段と、を備える請求項８に記載の電力供給装置において、
前記充電手段は、前記第１の電池の電圧を監視する電圧監視手段と、前記第３の開閉手段を開閉させる開閉制御手段と、前記第１の電池及び前記第２の電池を同時に充電する充電回路を備え、
前記電圧監視手段は、前記第１の電池の電圧が所定値以下になった場合に、前記開閉制御手段に前記第３の開閉手段を閉鎖させ、
前記電流監視手段は、前記開閉制御手段により閉鎖された前記第３の開閉手段を流れる前記電流を監視し、前記電流が略零になった場合に、前記充電回路に両方の前記電池を充電させることを特徴とする電力供給装置。
【請求項１１】
請求項１乃至１０記載の電力供給装置を備えたことを特徴とする電子機器。
【請求項１２】
記録媒体に記録する記録装置であって、請求項１乃至１０記載の電力供給装置を備えたことを特徴とする記録装置。
【請求項１３】
駆動手段に電力を供給する第１の電池と、
前記第１の電池の残量を検出する検出手段と、
前記駆動手段を制御する駆動制御手段と、を備える記録装置と、
少なくとも、所定の電力を供給する第２の電池を備える情報処理端末と、
前記記録装置及び前記情報処理端末を接続する信号及び電力を伝送可能なケーブルと、を備える電力供給システムにおいて、
前記記録装置は、更に、前記第１の電池又は前記第２の電池から供給された電圧を昇圧し、前記駆動手段へ供給する昇圧手段と、
該昇圧手段への電力供給を前記第１の電池と前記第２の電池の間で切り替える出力切替手段と、
前記出力切替手段を制御する出力制御手段と、を備え、
前記検出手段は、前記第１の電池の電力が所定値まで低下した場合に、前記駆動制御手段に検出信号を送信し、
前記駆動制御手段は、前記検出信号に基づいて、前記駆動手段の動作状態を検出し、前記駆動手段が待機中の場合に前記出力切替信号を送信せず、前記駆動手段が駆動中の場合に出力切替信号を送信し、
前記出力切替信号に基づいて、前記出力制御手段は前記出力切替手段を動作させて、前記第１の電池の代わりに、前記第２の電池の電力を前記昇圧手段に供給することを特徴とする電力供給システム。
【請求項１４】
駆動手段に電力を供給する第１の電池と、
前記駆動手段に、少なくとも、所定の電力を供給する第２の電池と、
前記第１の電池の残量を検出する検出手段と、
前記第１の電池又は前記第２の電池から供給された電圧を昇圧し、前記駆動手段へ供給する昇圧手段と、
該昇圧手段への電力供給を前記第１の電池と前記第２の電池の間で切り替える出力切替手段と、
前記出力切替手段を制御する出力制御手段と、
前記駆動手段を制御する駆動制御手段と、を備え、
前記検出手段は、前記第１の電池の電力が所定値まで低下した場合に、前記駆動制御手段に検出信号を送信し、
前記駆動制御手段は、前記検出信号に基づいて、前記駆動手段の動作状態を検出し、前記駆動手段が待機中の場合に前記出力切替信号を送信せず、前記駆動手段が駆動中の場合に出力切替信号を送信し、
前記出力切替信号に基づいて、前記出力制御手段は前記出力切替手段を動作させて、前記第１の電池の代わりに、前記第２の電池の電力を前記昇圧手段に供給する記録装置と、
第３の電池を備える情報処理端末と、
前記記録装置及び前記情報処理端末を接続する信号及び電力を伝送可能なケーブルと、を備える電力供給システムにおいて、
前記信号及び電力を伝送可能なケーブルを介して、前記第３の電池から前記第１の電池及び前記第２の電池を充電することを特徴とする電力供給システム。
【請求項１５】
駆動手段に電力を供給する第１の電池と、
前記駆動手段に、少なくとも、所定の電力を供給する第２の電池と、
前記第１の電池の残量を検出する検出手段と、
前記第１の電池及び前記第２の電池から供給された電圧を昇圧し、前記駆動手段へ供給する昇圧手段と、
前記第１の電池から前記昇圧手段への電力供給経路を開閉する第１の開閉手段と、
前記第２の電池から前記昇圧手段へ供給する電圧を降下させる電圧降下素子と、
該電圧降下素子を短絡させる第２の開閉手段と、
前記第１の開閉手段及び前記第２の開閉手段を制御する出力制御手段と、
前記駆動手段を制御する駆動制御手段と、を備え、
前記検出手段は、前記第１の電池の電力が所定値まで低下した場合に、前記駆動制御手段に検出信号を送信し、
前記駆動制御手段は、前記検出信号に基づいて、前記駆動手段の動作状態を検出し、前記駆動手段が待機中の場合は出力切替信号を送信せず、前記駆動手段が駆動中の場合は前記出力切替信号を送信し、
前記出力切替信号に基づいて、前記出力制御手段は前記第１の開閉手段を開放させた後、前記第２の開閉手段を閉鎖する記録装置と、
第３の電池を備える情報処理端末と、
前記記録装置及び前記情報処理端末を接続する信号及び電力を伝送可能なケーブルと、を備える電力供給システムにおいて、
前記信号及び電力を伝送可能なケーブルを介して、前記第３の電池から前記第１の電池及び前記第２の電池を充電することを特徴とする電力供給システム。
【発明の詳細な説明】
【技術分野】
【０００１】
本発明は、電池の電力で駆動する記録装置等の電子機器に用いられる電力供給装置及び、該記録装置を備えた電力供給システムに関する。
【背景技術】
【０００２】
従来の２次電池で駆動する記録装置等の電子機器における２次電池の残量検出方法は、大きく分けて３つ有る。１つの方法は２次電池に充電した電力量と２次電池から放電された電力量を各々積算して電池残量を検出する方法である（例えば、特許文献１参照）。１つは、通常動作時に放電中の電池電圧を検出して予め決められた電圧と比較して電池残量を検出する方法である（例えば、特許文献２参照）。更に、電池電圧を検出する方法で、精度の向上を図るため、大電流を消費する大電流負荷を用い、電池から大電流負荷に直接電力を供給するスイッチを設けて大電流のパルス負荷を電池に印加し、その時の電池電圧を検出して、電池残量を判定する方法がある（例えば、特許文献３参照）。
【０００３】
【特許文献１】特開２００３−１８６０９８号公報
【特許文献２】特開２００１−０４５６７８号公報
【特許文献３】特開２０００−１７１５３３号公報
【発明の開示】
【発明が解決しようとする課題】
【０００４】
上述した特許文献１に示す方法では、所定の電力を残して検出できるものの、ハードウェア及びソフトウェアの構造が複雑になるといった問題があった。
【０００５】
また、特許文献２に示す方法では、電池残量が殆ど無い状態における残量検出は容易にできる。しかし、記録装置等の電子機器では、駆動手段が駆動中に電池の電力切れで停止すると、記録媒体の印刷中に停止することになり、インク及び記録媒体の印刷中のページが無駄になるといった問題があった。そこで、１ページ分の印刷が可能な電力を２次電池が残しているか検出する必要があるものの、所定の電力を残して検出することは、大変難しい。これは、消費電力、電池温度等により電池電圧と電池残量の関係が大きく変わるためである。そのため、検出精度が悪くなり、電池残量を検出しても所定の電力が残らず、駆動手段が駆動中に停止するといった問題があった。
【０００６】
また、特許文献３に示す方法では、駆動中に大電流を流す手段を設ける必要があり、特許文献２に示す方法と同様に、構造が複雑になるといった問題があった。
【０００７】
本発明は、上記のような種々の課題に鑑みなされたものであり、その目的は、駆動手段が駆動中に、電池の電力切れで停止することを、簡易な構成で防止できる電力供給装置、その電力供給装置を備えた記録装置及び電子機器、並びに該記録装置を備えた電力供給システムを提供することにある。
【課題を解決するための手段】
【０００８】
上記目的達成のため、本発明の電力供給装置では、駆動手段に電力を供給する第１の電池と、前記駆動手段に、少なくとも、所定の電力を供給する第２の電池と、前記第１の電池の残量を検出する検出手段と、前記駆動手段への電力供給を前記第１の電池と前記第２の電池の間で切り替える切替手段と、前記切替手段を制御する制御手段と、を備える電力供給装置において、前記制御手段は、前記検出手段から送信された検出信号に基づいて、前記切替手段を動作させることを特徴としている。
【０００９】
これにより、第１の電池の電力が切れても、切替手段を動作させて、第２の電池に残存する電力を駆動手段に供給することで、駆動手段が駆動中に停止することを簡易な構成で防止できる。
【００１０】
また、本発明の電力供給装置では、駆動手段に電力を供給する第１の電池と、前記駆動手段に、少なくとも、所定の電力を供給する第２の電池と、前記第１の電池の残量を検出する検出手段と、前記第１の電池又は前記第２の電池から供給された電圧を昇圧し、前記駆動手段へ供給する昇圧手段と、該昇圧手段への電力供給を前記第１の電池と前記第２の電池の間で切り替える出力切替手段と、前記出力切替手段を制御する出力制御手段と、前記駆動手段を制御する駆動制御手段と、を備える電力供給装置において、前記検出手段は、前記第１の電池の電力が所定値まで低下した場合に、前記駆動制御手段に検出信号を送信し、前記駆動制御手段は、前記検出信号に基づいて、前記駆動手段の動作状態を検出し、前記駆動手段が駆動中の場合に、出力切替信号を送信し、前記出力制御手段は、前記出力切替信号に基づいて、前記出力切替手段を動作させて、前記第１の電池の代わりに、前記第２の電池の電力を前記昇圧手段に供給することを特徴としている。
【００１１】
これにより、第１の電池の電力が所定値まで低下した際、駆動手段が駆動中であれば、第２の電池の電力を昇圧手段に供給して、上記の動作を終了させることができる。よって、駆動手段が駆動中に停止することを簡易な構成で防止できる。
【００１２】
また、本発明の電力供給装置では、前記駆動制御手段は、前記駆動手段が待機中の場合には、前記出力切替信号を送信せず、前記第１の電池の電力を前記昇圧手段に供給させることを特徴としている。これにより、第１の電池の電力が所定値まで低下した際、駆動手段が待機中であれば、第１の電池に残存する電力を昇圧手段に供給して、駆動手段を停止状態にすることができる。よって、出力切替手段を動作させる必要がなくなり、消費電力を削減することもできる。
【００１３】
また、本発明の電力供給装置では、前記第１の電池及び前記第２の電池は、充放電可能な２次電池であることを特徴としている。これにより、第１の電池及び第２の電池に電力が残存する場合、消費した電力のみ充電されるので、第１の電池及び第２の電池に残存する電力を有効活用できる。
【００１４】
また、本発明の電力供給装置では、更に、前記第１の電池と前記第２の電池を充電する充電手段と、前記充電手段からの電力供給を前記第１の電池と前記第２の電池の間で切り替える入力切替手段と、前記入力切替手段を制御する入力制御手段と、備える場合において、前記入力制御手段は、前記入力切替手段を動作させて、前記第１の電池又は、前記第２の電池の何れか一方を充電させた後、再度、前記入力切替手段を動作させて、前記電池の他方を充電させることを特徴としている。
【００１５】
これにより、第１の電池及び第２の電池の容量が異なる場合でも充電することができる。よって、第２の電池の容量を第１の電池の容量よりも、小さくすることもできる。
【００１６】
また、本発明の電力供給装置では、駆動手段に電力を供給する第１の電池と、前記駆動手段に、少なくとも、所定の電力を供給する第２の電池と、前記第１の電池の残量を検出する検出手段と、前記第１の電池及び前記第２の電池から供給された電圧を昇圧し、前記駆動手段へ供給する昇圧手段と、前記第１の電池から前記昇圧手段への電力供給経路を開閉する第１の開閉手段と、前記第２の電池から前記昇圧手段へ供給する電圧を降下させる電圧降下素子と、該電圧降下素子を短絡させる第２の開閉手段と、前記第１の開閉手段及び前記第２の開閉手段を制御する出力制御手段と、前記駆動手段を制御する駆動制御手段と、を備える電力供給装置において、前記検出手段は、前記第１の電池の電力が所定値まで低下した場合に、前記駆動制御手段に検出信号を送信し、前記駆動制御手段は、前記検出信号に基づいて、前記駆動手段の動作状態を検出し、前記駆動手段が駆動中の場合に、出力切替信号を送信し、前記出力制御手段は、前記出力切替信号に基づいて、前記第１の開閉手段を開放させた後、前記第２の開閉手段を閉鎖することを特徴としている。
【００１７】
これにより、第１の電池の電力が所定値まで低下した際、駆動手段が駆動中であれば、第２の開閉手段を閉鎖させて電圧降下素子を短絡させることで、第２の電池に残存する電力を昇圧手段に供給して、上記の動作を終了させることができる。よって、駆動手段が駆動中に停止することを簡易な構成で防止できる。
【００１８】
また、本発明の電力供給装置では、前記駆動制御手段は、前記駆動手段が待機中の場合には、前記出力切替信号を送信せず、前記第１の電池及び前記第２の電池の電力を前記昇圧手段に供給させることを特徴としている。これにより、第１の電池の電力が所定値まで低下した際、駆動手段が待機中であれば、第１の電池及び第２の電池の電力を昇圧手段に供給して、駆動手段を停止状態にすることができる。よって、第１の開閉手段を開放させた後、第２の開閉手段を閉鎖する必要がなくなり、消費電力を削減することもできる。
【００１９】
また、本発明の電力供給装置では、前記第１の電池及び前記第２の電池は、充放電可能な２次電池であることを特徴としている。これにより、第１の電池及び第２の電池に電力が残存する場合、消費した電力のみ充電されるので、第１の電池及び第２の電池に残存する電力を有効活用できる。
【００２０】
また、本発明の電力供給装置では、更に、前記第１の電池と前記第２の電池を充電する充電手段と、放電時に、前記第１の電池及び前記第２の電池から充電手段に流れる逆電流を阻止する逆電流阻止手段と、を備える場合において、前記充電手段は、前記逆電流阻止手段の前記第１の電池側の電圧を監視する電圧監視手段と、前記第１の電池及び前記第２の電池を同時に充電する充電回路を備え、前記電圧監視手段は、前記第１の電池側の前記電圧が所定値になった場合に、前記充電回路による充電を停止させることを特徴としている。
【００２１】
これにより、放電時に、第１の電池及び第２の電池の電力は、逆電流阻止手段により充電手段に供給されないので、上記の電力を昇圧手段に効率良く供給することができる。
【００２２】
また、本発明の電力供給装置では、更に、前記第１の電池と前記第２の電池を充電する充電手段と、前記第２の電池から前記第１の電池への経路を開閉する第３の開閉手段と、前記第３の開閉手段に流れる電流を監視する電流監視手段と、を備える場合において、前記充電手段は、前記第１の電池の電圧を監視する電圧監視手段と、前記第３の開閉手段を開閉させる開閉制御手段と、前記第１の電池及び前記第２の電池を同時に充電する充電回路を備え、前記電圧監視手段は、前記第１の電池の電圧が所定値以下になった場合に、前記開閉制御手段に前記第３の開閉手段を閉鎖させ、前記電流監視手段は、前記開閉制御手段により閉鎖された前記第３の開閉手段を流れる前記電流を監視し、前記電流が略零になった場合に、前記充電回路に両方の前記電池を充電させることを特徴としている。
【００２３】
これにより、第１の電池の電圧が所定値以下の場合、第１の電池と第２の電池の電位差が大きく、充電回路から第１の電池及び第２の電池の同時充電ができないので、これにより、第３の開閉手段を閉鎖して、第１の電池と第２の電池の電位差を略零にすることができる。よって、第３の開閉手段に流れる電流を監視して、上記電流が略零になった場合に、第１の電池と第２の電池の電位差が略零になったと判断し、充電回路から同時充電することができる。
【００２４】
また、本発明の電子機器では、上記の各電力供給装置を備えたことを特徴としている。これにより、上記各作用効果を奏する電子機器を提供することができる。
【００２５】
また、本発明の記録装置では、記録媒体に記録する記録装置であって、上記の各電力供給装置を備えたことを特徴としている。これにより、上記各作用効果を奏する記録装置を提供することができる。
【００２６】
また、本発明の電力供給システムでは、駆動手段に電力を供給する第１の電池と、前記第１の電池の残量を検出する検出手段と、前記駆動手段を制御する駆動制御手段と、を備える記録装置と、少なくとも、所定の電力を供給する第２の電池を備える情報処理端末と、前記記録装置及び前記情報処理端末を接続する信号及び電力を伝送可能なケーブルと、を備える電力供給システムにおいて、前記記録装置は、更に、前記第１の電池又は前記第２の電池から供給された電圧を昇圧し、前記駆動手段へ供給する昇圧手段と、該昇圧手段への電力供給を前記第１の電池と前記第２の電池の間で切り替える出力切替手段と、前記出力切替手段を制御する出力制御手段と、を備え、前記検出手段は、前記第１の電池の電力が所定値まで低下した場合に、前記駆動制御手段に検出信号を送信し、前記駆動制御手段は、前記検出信号に基づいて、前記駆動手段の動作状態を検出し、前記駆動手段が待機中の場合に前記出力切替信号を送信せず、前記駆動手段が駆動中の場合に出力切替信号を送信し、前記出力切替信号に基づいて、前記出力制御手段は前記出力切替手段を動作させて、前記第１の電池の代わりに、前記第２の電池の電力を前記昇圧手段に供給することを特徴としている。
【００２７】
これにより、記録装置内の第１の電池の電力が所定値まで低下した場合でも、出力切替手段を動作させて、情報処理端末に内蔵された第２の電池に残存する電力を昇圧手段に供給することで、駆動手段が駆動中に停止することを簡易な構成で防止できる。
【００２８】
また、本発明の電力供給システムでは、駆動手段に電力を供給する第１の電池と、前記駆動手段に、少なくとも、所定の電力を供給する第２の電池と、前記第１の電池の残量を検出する検出手段と、前記第１の電池又は前記第２の電池から供給された電圧を昇圧し、前記駆動手段へ供給する昇圧手段と、該昇圧手段への電力供給を前記第１の電池と前記第２の電池の間で切り替える出力切替手段と、前記出力切替手段を制御する出力制御手段と、前記駆動手段を制御する駆動制御手段と、を備え、前記検出手段は、前記第１の電池の電力が所定値まで低下した場合に、前記駆動制御手段に検出信号を送信し、前記駆動制御手段は、前記検出信号に基づいて、前記駆動手段の動作状態を検出し、前記駆動手段が待機中の場合に前記出力切替信号を送信せず、前記駆動手段が駆動中の場合に出力切替信号を送信し、前記出力切替信号に基づいて、前記出力制御手段は前記出力切替手段を動作させて、前記第１の電池の代わりに、前記第２の電池の電力を前記昇圧手段に供給する記録装置と、第３の電池を備える情報処理端末と、前記記録装置及び前記情報処理端末を接続する信号及び電力を伝送可能なケーブルと、を備える電力供給システムにおいて、前記信号及び電力を伝送可能なケーブルを介して、前記第３の電池から前記第１の電池及び前記第２の電池を充電することを特徴としている。
【００２９】
これにより、記録装置内の第１の電池の電力が所定値まで低下した場合でも、出力切替手段を動作させて、記録装置内の第２の電池に残存する電力を昇圧手段に供給することで、駆動手段が駆動中に停止することを簡易な構成で防止できる。更に、情報処理端末内の第３の電池から記録装置内の第１の電池及び第２の電池を充電することで、駆動手段を再度、駆動させることもできる。
【００３０】
また、本発明の電力供給システムでは、駆動手段に電力を供給する第１の電池と、前記駆動手段に、少なくとも、所定の電力を供給する第２の電池と、前記第１の電池の残量を検出する検出手段と、前記第１の電池及び前記第２の電池から供給された電圧を昇圧し、前記駆動手段へ供給する昇圧手段と、前記第１の電池から前記昇圧手段への電力供給経路を開閉する第１の開閉手段と、前記第２の電池から前記昇圧手段へ供給する電圧を降下させる電圧降下素子と、該電圧降下素子を短絡させる第２の開閉手段と、前記第１の開閉手段及び前記第２の開閉手段を制御する出力制御手段と、前記駆動手段を制御する駆動制御手段と、を備え、前記検出手段は、前記第１の電池の電力が所定値まで低下した場合に、前記駆動制御手段に検出信号を送信し、前記駆動制御手段は、前記検出信号に基づいて、前記駆動手段の動作状態を検出し、前記駆動手段が待機中の場合は出力切替信号を送信せず、前記駆動手段が駆動中の場合は前記出力切替信号を送信し、前記出力切替信号に基づいて、前記出力制御手段は前記第１の開閉手段を開放させた後、前記第２の開閉手段を閉鎖する記録装置と、第３の電池を備える情報処理端末と、前記記録装置及び前記情報処理端末を接続する信号及び電力を伝送可能なケーブルと、を備える電力供給システムにおいて、前記信号及び電力を伝送可能なケーブルを介して、前記第３の電池から前記第１の電池及び前記第２の電池を充電することを特徴としている。
【００３１】
これにより、記録装置内の第１の電池の電力が所定値まで低下した場合でも、第１の開閉手段を開放させた後、第２の開閉手段を閉鎖させて、記録装置内の第２の電池に残存する電力を昇圧手段に供給することで、駆動手段が駆動中に停止することを簡易な構成で防止できる。更に、情報処理端末内の第３の電池から記録装置内の第１の電池及び第２の電池を充電することで、駆動手段を再度、駆動させることもできる。
【発明を実施するための最良の形態】
【００３２】
本発明に係る「電子機器」の一例として、記録装置の１つであるインクジェット式プリンタ１００を取り上げて、本発明の実施形態について、図１を参照しながら説明する。なお、以下に説明する実施形態は特許請求の範囲にかかる発明を限定するものではなく、また、本実施形態の中で説明されている特徴の組み合わせの全てが発明の解決手段に必須であるとは限らない。
【００３３】
図１は、本発明の実施の形態に係る記録装置の１つであるインクジェット式プリンタ１００の外観構成を前面側から見たときの斜視図である。同図（Ａ）は不使用時の状態を示し、同図（Ｂ）は使用時の状態を示す。なお、以下の説明において、「左右」及び「前後」はインクジェット式プリンタ１００の前面側から見たときの方向をいうものとする。このインクジェット式プリンタ１００は、扁平な直方体状の筐体１１０を備えた携帯性の高い薄型プリンタである。筐体１１０は、略平面的に形成された下ケース１１１と、この下ケースと略同一寸法の上ケース１１２を備えている。
【００３４】
下ケース１１１は、上面が開放された器状に形成されており、内部にプリンタ１００の主要構成部品が収納される。上ケース１１２は、下ケース１１１より深さが浅い器状に形成されており、上ケース１１２の開放下面が下ケース１１１の開放上面に向くようにして下ケース１１１と結合される。
【００３５】
さらに、下ケース１１１は、周壁の前面側の略中央部が排紙口１１３として切り欠かれ、周壁の背面側の略中央部がインクカートリッジの挿抜口１１４として切り欠かれている。上ケース１１２は、略中央部に矩形状の給紙口１１５が穿設されている。そして、この給紙口１１５には、給紙口１１５を塞ぐ大きさの給紙扉１１６が嵌め込まれている。この給紙扉１１６は、前端部を軸としてケース面から上方に鋭角の角度範囲で旋回自在に上ケース１１２に軸支持されており、旋回により後端側が持ち上がって給紙口１１５が開くようになっている。
【００３６】
また、上ケース１１２の上には、蓋と紙受けを兼ねた用紙ホルダ１１７が配設されている。この用紙ホルダ１１７は、上ケース１１２の略中央部を背面側から前面側にかけて覆う大きさに形成されており、後端部を軸としてケース面から上方に鈍角の角度範囲で旋回自在に下ケース１１１に軸支持されている。用紙ホルダ１１７は、図１（Ａ）に示すように、前方に旋回して上ケース１１２の略中央部に背面側から前面側にかけて形成されている凹部１１８に嵌め込まれることにより蓋として機能し、図１（Ｂ）に示すように、後方に旋回して手前に傾斜した状態で停止することにより紙受けとして機能するようになっている。これにより、インクジェット式プリンタ１００を使用しないときは用紙ホルダ１１７をコンパクトに収納しておくことができる。なお、この用紙ホルダ１１７の開閉と給紙扉１１６の開閉は、図示しないリンク機構により連動するようになっている。
【００３７】
また、図１（Ａ）には、インクジェット式プリンタ１００を動作させる電源である電池２３０と、補助電池２４０又は電池３１０とが示されている。電池２３０と、補助電池２４０又は電池３１０と、は下ケース１１１のインクカートリッジの挿抜口１１４周辺に配設されている。
【００３８】
次に、インクジェット式プリンタ１００に内蔵された第１の実施形態に係る電力供給装置２００について、図２を参照して説明する。
【００３９】
図２は、第１の実施形態に係る電力供給装置２００の回路図である。図２に示す電力供給装置２００は、充電装置２１０、入力制御回路２２０、電池２３０、補助電池２４０、残量検出回路２５０、出力制御回路２６０、プリンタ制御部２７０、昇圧回路２８０及び駆動部２９０、並びにスイッチＳＷ１１、ＳＷ１２、ＳＷ１３及びＳＷ１４から構成されている。充電装置２１０は、電池２３０及び補助電池２４０を充電する。なお、第１の実施形態の電池２３０及び補助電池２４０は、リチウムイオン電池（２次電池）である。入力制御回路２２０は、スイッチＳＷ１３及びＳＷ１４を制御して、一方のスイッチのみ閉鎖する制御を実行する。電池２３０は残存する電力を昇圧回路２８０に供給し、補助電池２４０は、電池２３０の電力が所定値以下になった場合に、電池２３０に代わって、電力を昇圧回路２８０に供給する。残量検出回路２５０は、電池２３０から供給される電圧を検出し、所定値以下になった場合に検出信号を送信する。出力制御回路２６０は、スイッチＳＷ１１及びＳＷ１２を制御して、一方のスイッチのみ閉鎖する制御を実行する。昇圧回路２８０は、電池２３０又は補助電池２４０から供給された電圧を昇圧し、駆動部２９０に供給する。プリンタ制御部２７０は、インクジェット式プリンタ１００全体の制御を実行し、プリンタ１００の状態を判断する。駆動部２９０は、昇圧回路２８０から供給された電圧により駆動し、図示しない記録媒体に印刷する。
【００４０】
ここで、電力供給装置２００の回路構成を概略説明する。充電装置２１０はスイッチＳＷ１３を介して電池２３０と、スイッチＳＷ１４を介して補助電池２４０と、入力制御回路２２０と、接続されている。入力制御回路２２０は、スイッチＳＷ１３、ＳＷ１４、充電装置２１０及び出力制御回路２６０と接続されている。また、昇圧回路２８０は、スイッチＳＷ１１を介して電池２３０と、スイッチＳＷ１２を介して補助電池２４０と、及び駆動部２９０と、接続されている。出力制御回路２６０は、スイッチＳＷ１１、ＳＷ１２、入力制御回路２２０及びプリンタ制御部２７０と接続されている。更に、電池２３０とスイッチＳＷ１１間の経路から分岐して、残量検出回路２５０が接続されている。残量検出回路２５０は、プリンタ制御部２７０とも接続している。
【００４１】
次に、図２に示した構成を有する電力供給装置２００について、電池２３０の放電時の動作を説明する。まず、出力制御回路２６０は、スイッチＳＷ１１を制御して、スイッチＳＷ１１を閉鎖する。これにより、電池２３０の電力が昇圧回路２８０に供給される。昇圧回路２８０は、電池２３０から供給された電圧を駆動部駆動可能電圧まで昇圧し、駆動部２９０を駆動させる。その後、使用電力に応じて電池２３０の電圧が徐々に低下し、例えば、３Ｖ／ｃｅｌｌとなった場合、残量検出回路２５０は上記の電圧を検出し、プリンタ制御部２７０にＮｅａｒ  Ｅｎｄ信号（検出信号）を出力する。なお、一般的なリチウムイオン電池は、電池電圧が３Ｖ／ｃｅｌｌとなった場合、電力が殆ど残っていない。上記のＮｅａｒ  Ｅｎｄ信号（検出信号）に基づいて、プリンタ制御部２７０は、駆動部２９０の動作状態を判断する。なお、本実施形態のインクジェット式プリンタ１００では、動作状態は、停止状態、待機状態及び駆動状態の３種類の状態がある。停止状態は、インクジェット式プリンタ１００の電源が切られた状態であり、印刷用データを受信しても印刷できない状態である。また、駆動状態は、駆動部２９０が駆動し、図示しない記録媒体に印刷している状態である。残りの待機中は、印刷用データの受信を待機している状態である。なお、駆動状態又は待機状態から停止状態に移行する際、所定の必要な動作、すなわち、駆動部２９０を図示しないホームポジションに戻し、キャッピングをする。これにより、長時間の停止状態で、駆動部２９０でインクが乾き、図示しないノズルが目詰まりする等の不具合を防止している。また、駆動中に電池２３０の電力切れで停止すると、図示しない記録媒体の印刷中に停止することになり、インク及び記録媒体の印刷中のページを無駄にすると共に、上記のように、駆動部２９０を図示しないホームポジションに戻し、キャッピングをすることができないので、図示しないノズルの目詰まり等の不具合の原因となる。
【００４２】
そこで、駆動部２９０が待機状態であるとプリンタ制御部２７０が判断した場合、プリンタ制御部２７０は駆動部２９０を停止状態に移行させる。すなわち、電池２３０に残存する電力で、駆動部２９０を図示しないホームポジションに戻し、キャッピングする。一方、プリンタ制御部２７０が駆動中、すなわち、インクジェット式プリンタ１００が図示しない記録媒体に印刷している状態と判断した場合は、上述したように電池２３０に電力が殆ど残っていないので、出力制御回路２６０に出力切替信号を送信する。出力制御回路２６０は、出力切替信号に基づいて、スイッチＳＷ１１を開放した後、スイッチＳＷ１２を閉鎖する。これにより、補助電池２４０の電力が昇圧回路２８０に供給される。昇圧回路２８０は、補助電池２４０から供給された電圧を駆動部駆動可能電圧まで昇圧し、駆動部２９０を駆動させて、印刷中の１ページを印刷させる。印刷終了後、印刷用データの内、印刷されていないデータが残存している場合は、そのデータを図示しないＲＡＭ等に格納する。そして、駆動部２９０を停止状態に移行させる。すなわち、補助電池２４０の電力で、駆動部２９０を図示しないホームポジションに戻し、キャッピングする。これにより、電池２３０の電力切れで、駆動部２９０が駆動中に停止することを簡易な構造で防止している。その後、プリンタ制御部２７０は、停止状態への移行が終了したと判断した場合に、停止状態移行終了信号を出力制御回路２６０に送信する。出力制御回路２６０は、停止状態移行終了信号に基づいて、スイッチＳＷ１１又はＳＷ１２を開放する。
【００４３】
次に、図２に示した構成を有する電力供給装置２００について、電池２３０の充電時の動作を説明する。まず、出力制御回路２６０は、停止状態移行終了信号に基づいて、充電開始信号を入力制御回路２２０に送信する。入力制御回路２２０は、充電開始信号に基づいて、スイッチＳＷ１４を閉鎖する。これにより、充電装置２１０は補助電池２４０を充電する。すなわち、充電装置２１０は、補助電池２４０がショート等による故障かどうか確認するため、補助電池２４０に微弱電流を流す。その際、補助電池２４０の残量も確認する。次に、確認した補助電池２４０を残量に合わせて、充電する。補助電池２４０の充電が終了すると、充電装置２１０は、入力制御回路２２０に充電終了信号を送信する。入力制御回路２２０は、充電終了信号に基づいて、スイッチＳＷ１４を開放した後、スイッチＳＷ１３を閉鎖する。これにより、充電装置２１０は、電池２４０と同様の手順で、電池２３０を充電する。電池２３０の充電が終了すると、充電装置２１０は、入力制御回路２２０に再度、充電終了信号を送信する。入力制御回路２２０は、２回目の充電終了信号に基づいて、スイッチＳＷ１３を開放すると共に、出力制御回路２６０に待機状態移行信号を送信する。出力制御回路２６０は、待機状態移行信号に基づいて、スイッチＳＷ１１を閉鎖する。これにより、電池２３０の電力が昇圧回路２８０に供給される。
【００４４】
以上の図２に示した回路構成により、電池２３０の電力切れで、駆動部２９０が駆動中に停止することを簡易な構造で防止している。更に、残量検出回路２５０が、電池２３０の電圧が所定値、例えば、３Ｖ／ｃｅｌｌまで低下した場合に、Ｎｅａｒ  Ｅｎｄ信号（検出信号）を送信することで、電池２３０の電力が完全に無くなる前に、補助電池２４０に残存する電力を供給することができ、電池２３０を再度充電することができる。また、電池２３０の電圧が所定値、例えば、３Ｖ／ｃｅｌｌまで低下した際、駆動部２９０が駆動中、すなわち、印刷中であっても、補助電池２４０から電力が供給されて、印刷中の１ページを印刷させることができる。更に、所定の必要な動作、すなわち、駆動部２９０を図示しないホームポジションに戻し、キャッピングをさせて、停止状態に移行させることができる。一方、駆動部２９０が待機中であれば、電池２３０に残存する電力を昇圧回路２８０に供給して、所定の必要な動作、すなわち、駆動部２９０を図示しないホームポジションに戻し、キャッピングをさせて、停止状態に移行することで、スイッチＳＷ１１及びスイッチＳＷ１２を動作させる必要がなくなり、消費電力を削減することもできる。
【００４５】
また、出力制御回路２６０は、スイッチＳＷ１１及びＳＷ１２の一方しか閉鎖させないので、電池２３０の電力が補助電池２４０に、又は補助電池２４０の電力が電池２３０に、供給されることを防止できる。電池２３０又は補助電池２４０の電力を、昇圧回路２８０に効率良く供給することができる。更に、スイッチＳＷ１１を開放した後、スイッチＳＷ１２を閉鎖しているので、一瞬たりとて、スイッチＳＷ１１及びＳＷ１２が同時に閉鎖されず、補助電池２４０の電力が電池２３０に供給されることを確実に防止できる。
【００４６】
また、入力制御回路２２０は、スイッチＳＷ１３及びＳＷ１４の一方しか閉鎖させないので、電池２３０の電力が補助電池２４０に、又は補助電池２４０の電力が電池２３０に、供給されることを防止できる。更に、スイッチＳＷ１４を開放した後、スイッチＳＷ１３を閉鎖しているので、一瞬たりとて、スイッチＳＷ１３及びＳＷ１４が同時に閉鎖されず、補助電池２４０の電力が電池２３０に供給されることを確実に防止できる。これにより、充電装置２１０は、電池２３０又は補助電池２４０の一方を充電した後、他方を充電することができる。そのため、電池２３０と補助電池２４０の容量が異なる場合でも充電することができる。よって、補助電池２４０の容量を電池２３０の容量よりも、小さくすることもできる。更に、補助電池２４０を電池２３０よりも先に充電することで、補助電池２４０を充電する前に電池２３０の電力で駆動部２９０が駆動することを防止できる。また、入力制御回路２２０は、放電時、スイッチＳＷ１３及びスイッチＳＷ１４を開放する制御を実行するので、電池２３０又は補助電池２４０の電力を、昇圧回路２８０に効率良く供給することができる。また、電池２３０及び補助電池２４０は２次電池であるので、電池２３０及び補助電池２４０に電力が残存する場合、消費した電力のみ充電されるので、上記の残存する電力を有効活用できる。
【００４７】
次に、インクジェット式プリンタ１００に内蔵された第２の実施形態に係る電力供給装置３００について、図３を参照して説明する。なお、以下に説明する実施形態は特許請求の範囲にかかる発明を限定するものではなく、また、本実施形態の中で説明されている特徴の組み合わせの全てが発明の解決手段に必須であるとは限らない。更に、第１の実施形態と同様の部分には同じ符号を付し、詳しい説明は省略する。
【００４８】
図３は、第２の実施形態に係る電力供給装置３００の回路図である。図３に示す電力供給装置３００は、充電装置３２０、電池２３０、電池３１０、残量検出回路２５０、出力制御回路２６０、プリンタ制御部２７０、昇圧回路２８０及び駆動部２９０、並びにスイッチＳＷ１１、ＳＷ２１、ダイオードＤ１、Ｄ２及びＤ３から構成されている。電池２３０、残量検出回路２５０、昇圧回路２８０、プリンタ制御部２７０及び駆動部２９０は第１の実施形態と同じである。一方、充電装置３２０は、電圧監視回路３２１及び充電回路３２２から構成され、電池２３０及び電池３１０を充電する。なお、第２の実施形態の電池３１０も、リチウムイオン電池（２次電池）である。電池３１０は、電池２３０と略同じ容量を持ち、電池２３０と共に電力を昇圧回路２８０に供給する。出力制御回路２６０は、第１の実施形態と同様に、スイッチＳＷ１１及びＳＷ２１を制御して、一方のスイッチのみ閉鎖する制御を実行する。ダイオードＤ１は電圧降下素子であり、ダイオードＤ２及びＤ３は逆電流阻止手段として設けられている。電圧監視回路３２１はダイオードＤ２の電池２３０側電圧を監視している。充電回路３２２は、電池２３０及び電池３１０を同時に充電する。
【００４９】
ここで、電力供給装置３００の回路構成を概略説明する。充電装置３２０はダイオードＤ２を介して電池２３０と、ダイオードＤ３を介して電池３１０と接続されている。昇圧回路２８０は、スイッチＳＷ１１を介して電池２３０と、ダイオードＤ１及びスイッチＳＷ２１を介して電池３１０と、及び駆動部２９０と、接続されている。電池２３０とスイッチＳＷ１１間の経路から分岐して、残量検出回路２５０が接続されている。残量検出回路２５０は更に、出力制御回路２６０及びプリンタ制御部２７０と接続している。また、出力制御回路２６０は、スイッチＳＷ１１、ＳＷ２１、残量検出回路２５０及びプリンタ制御部２７０と接続されている。
【００５０】
次に、図３に示した構成を有する電力供給装置３００について、電池２３０の放電時の動作を説明する。まず、出力制御回路２６０は、スイッチＳＷ１１及びＳＷ２１を制御して、スイッチＳＷ２１を開放した後、スイッチＳＷ１１を閉鎖する。これにより、電池２３０及び電池３１０の電力が昇圧回路２８０に供給される。昇圧回路２８０は、電池２３０及び電池３１０から供給された電圧を駆動部駆動可能電圧まで昇圧し、駆動部２９０を駆動させる。その後、使用電力に応じて電池２３０及び電池３１０の電圧が徐々に低下し、電池２３０の電圧が、例えば、３Ｖ／ｃｅｌｌとなった場合、残量検出回路２５０は上記の電圧を検出し、プリンタ制御部２７０にＮｅａｒ  Ｅｎｄ信号（検出信号）を出力する。なお、一般的なリチウムイオン電池は、電池電圧が３Ｖ／ｃｅｌｌとなった場合、電力が殆ど残っていない。上記のＮｅａｒ  Ｅｎｄ信号（検出信号）に基づいて、プリンタ制御部２７０は、駆動部２９０の動作状態を判断する。
【００５１】
駆動部２９０が待機状態であるとプリンタ制御部２７０が判断した場合、プリンタ制御部２７０は駆動部２９０を停止状態に移行させる。すなわち、電池２３０及び電池３１０の電力で、駆動部２９０を図示しないホームポジションに戻し、キャッピングする。一方、プリンタ制御部２７０が駆動中、すなわち、インクジェット式プリンタ１００が、図示しない記録媒体に印刷している状態と判断した場合は、上述したように電池２３０に電力が殆ど残っていないので、出力制御回路２６０に出力切替信号を送信する。出力制御回路２６０は、出力切替信号に基づいて、スイッチＳＷ１１を開放した後、スイッチＳＷ２１を閉鎖する。これにより、ダイオードＤ１が短絡される。ダイオードＤ１の順方向電圧を、例えば、０．４Ｖとすると、この時点における電池３１０の電圧は３．４Ｖ／ｃｅｌｌである。すなわち、電池３１０には電力が残っているので、電池３１０の残存する電力が昇圧回路２８０に供給される。昇圧回路２８０は、電池３１０から供給された電圧を駆動部駆動可能電圧に昇圧し、駆動部２９０を駆動させて、印刷中の１ページを印刷させる。印刷終了後、印刷用データの内、印刷されていないデータが残存している場合は、そのデータを図示しないＲＡＭ等に格納する。そして、駆動部２９０を停止状態に移行させる。すなわち、電池３１０の残存する電力で、駆動部２９０を図示しないホームポジションに戻し、キャッピングする。これにより、電池２３０の電力切れで、駆動部２９０が駆動中に停止することを簡易な構造で防止している。なお、電池３１０の容量に合わせた順方向電圧のダイオードＤ１を選択することで、電池３１０の残存する電力を変更でき、印刷中の１ページだけでなく、電池３１０に残存する電力に合わせて、何ページでも印刷可能となる。
【００５２】
次に、図３に示した構成を有する電力供給装置３００について、電池２３０の充電時の動作を説明する。まず、充電回路３２２は、ダイオードＤ２を介して電池２３０を、ダイオードＤ３を介して電池３１０を同時に充電する。なお、ダイオードＤ２及びＤ３は、放電時に、電池３１０から電池２３０へ電流が流れないように阻止している。また、放電時に、電池２３０及び電池３１０の電力が充電装置に供給されることを防止している。ダイオードＤ２の電池２３０側の電圧を電圧監視回路３２１で監視する。その後、ダイオードＤ２の電池２３０側の電圧が所定値、例えば、４．２Ｖ／ｃｅｌｌになった場合、電圧監視回路３２１は、充電回路３２２による電池２３０及び電池３１０の充電を停止させる。これにより、電池２３０及び電池３１０の充電が終了する。なお、充電の手順は、第１の実施形態の充電装置２１０と同じであるので、省略する。残量検出回路２５０は、電池２３０の電圧を検出する。そして、電池２３０の電圧が、充電回路３２２による電池２３０及び電池３１０の充電が終了する電圧値、すなわち、４．２Ｖ／ｃｅｌｌになった場合に、充電終了信号を出力制御回路２６０に送信する。プリンタ制御部２７０から出力切替信号を受信していた場合、出力制御回路２６０は、充電終了信号に基づいて、スイッチＳＷ２１を開放した後、スイッチＳＷ１１を閉鎖する。
【００５３】
以上の図３に示した回路構成により、電池２３０の電力切れで、駆動部２９０が駆動中に停止することを簡易な構造で防止している。更に、残量検出回路２５０が、電池２３０の電圧が所定値、例えば、３Ｖ／ｃｅｌｌまで低下した場合に、Ｎｅａｒ  Ｅｎｄ信号（検出信号）を送信することで、電池２３０の電力が完全に無くなる前に、電池３１０に残存する電力を供給することができ、電池２３０を再度充電することができる。また、電池２３０の電力が所定値、例えば、３Ｖ／ｃｅｌｌまで低下した際、駆動部２９０が駆動中、すなわち、印刷中であっても、電池３１０に残存する電力が供給されて、印刷中の１ページを印刷させることができる。更に、印刷終了後、所定の必要な動作、すなわち、駆動部２９０を図示しないホームポジションに戻し、キャッピングをさせて、停止状態に移行させることができる。一方、駆動部２９０が待機中であれば、電池２３０及び電池３１０に残存する電力を昇圧回路２８０に供給して、所定の必要な動作、すなわち、駆動部２９０を図示しないホームポジションに戻し、キャッピングをさせて、停止状態に移行することで、スイッチＳＷ１１及びＳＷ２１を動作させる必要がなくなり、消費電力を削減することもできる。
【００５４】
また、出力制御回路２６０は、スイッチＳＷ１１及びＳＷ２１の一方しか閉鎖させないので、電池２３０の電力が所定値まで低下した際、確実に電池３１０に電力が残り、駆動部２９０が駆動中であっても、電池３１０に残存する電力で印刷中の１ページを印刷させた後、更に、停止状態に移行させることができる。また、スイッチＳＷ１１を開放した後、スイッチＳＷ２１を閉鎖しているので、一瞬たりとて、スイッチＳＷ１１及びＳＷ２１が同時に閉鎖されず、電池３１０に残存する電力が電池２３０に供給されることを確実に防止できる。
【００５５】
また、ダイオードＤ２及びＤ３により、放電時に、電池２３０及び電池３１０の電力は、充電装置３２０に供給されないので、昇圧回路２８０に上記電力を効率良く供給することができる。更に、電池２３０及び電池３１０は略同じ容量であるので、充電装置３２０から両方の電池２３０及び３１０を同時に充電することができる。また、電池２３０と電池３１０を切り替える必要が無いので、電池２３０及び電池３１０を簡易な構成で充電できる。また、電池２３０及び電池３１０は２次電池であるので、電池２３０及び電池３１０に電力が残存する場合、消費した電力のみ充電されるので、上記の残存する電力を有効活用できる。
【００５６】
次に、インクジェット式プリンタ１００に内蔵された第３の実施形態に係る電力供給装置４００について、図４を参照して説明する。なお、以下に説明する実施形態は特許請求の範囲にかかる発明を限定するものではなく、また、本実施形態の中で説明されている特徴の組み合わせの全てが発明の解決手段に必須であるとは限らない。更に、第１の実施形態及び第２の実施形態と同様の部分には同じ符号を付し、詳しい説明は省略する。
【００５７】
図４は、第３の実施形態に係る電力供給装置４００の回路図である。図４に示す電力供給装置４００は、充電装置４１０、電流監視回路４２０、電池２３０、電池３１０、残量検出回路２５０、出力制御回路２６０、プリンタ制御部２７０、昇圧回路２８０及び駆動部２９０、並びにスイッチＳＷ１１、ＳＷ２１、ＳＷ３１及びダイオードＤ１から構成されている。電池２３０、電池３１０、残量検出回路２５０、出力制御回路２６０、昇圧回路２８０、プリンタ制御部２７０、駆動部２９０及びダイオードＤ１は第２の実施形態と同じである。一方、充電装置４１０は、電圧監視回路４１１、開閉制御回路４１２及び充電回路４１３から構成され、電池２３０及び電池３１０を充電する。電圧監視回路４１１は、電池２３０の電圧を監視する。開閉制御回路４１２は、スイッチＳＷ３１の開閉制御を実行する。充電回路４１３は電池２３０及び電池３１０を同時に充電する。電流監視回路４２０は、スイッチＳＷ３１を通過して、電池３１０から電池２３０に流れる逆電流を監視する。
【００５８】
ここで、電力供給装置４００の回路構成を概略説明する。充電装置４１０は、電池２３０と、スイッチＳＷ３１を介して電池３１０と、電流監視回路４２０と、接続されている。昇圧回路２８０は、スイッチＳＷ１１を介して電池２３０と、ダイオードＤ１及びスイッチＳＷ２１を介して電池３１０と、及び駆動部２９０と、接続されている。電池２３０とスイッチＳＷ１１間の経路から分岐して、残量検出回路２５０が接続されている。残量検出回路２５０は更に、出力制御回路２６０及びプリンタ制御部２７０と接続されている。また、出力制御回路２６０は、スイッチＳＷ１１、ＳＷ２１、残量検出回路２５０及びプリンタ制御部２７０と接続されている。電流監視回路４２０は、スイッチＳＷ３１の両端から分岐して、接続されている。更に、充電装置４１０と接続されている。
【００５９】
次に、図４に示した構成を有する電力供給装置４００について、電池２３０の充電時の動作を説明する。なお、電池２３０の放電時の動作は、第２の実施形態の動作と全く同じであるので、省略する。まず、電圧監視回路４１１は、電池２３０の電圧を監視し、電池２３０の電圧が所定値以上か否か判断する。第３の実施形態では、所定値を、例えば、３Ｖ／ｃｅｌｌに設定している。電池２３０の電圧が所定値以上の場合、開閉制御回路４１２はスイッチＳＷ３１を閉鎖し、充電回路４１３は、電池２３０及び電池３１０を同時に充電する。なお、第３の実施形態では、スイッチＳＷ３１を閉鎖することにより、電池３１０から電池２３０に流れる突入電流を軽減するために、スイッチＳＷ３１に電流制限機能を持たせている。一方、電池２３０の電圧が所定値以下の場合、開閉制御回路４１２はスイッチＳＷ３１を閉鎖するものの、充電回路４１３は、まだ電池２３０及び電池３１０の同時充電を開始しない。電池２３０と電池３１０の間には電圧差があるため、電池３１０から電池２３０に電流が流れる。この際、スイッチＳＷ３１の電流制限機能により、電池２３０に流れる突入電流を電池許容レベルに抑えることができる。
【００６０】
その後、電池２３０と電池３１０の間に電圧差が無くなると、電池３１０から電池２３０に電流が流れなくなる。そこで、電流監視回路４２０で、電池３１０から電池２３０への電流、すなわち、スイッチＳＷ３１に流れる電流を検出する。電流監視回路４２０は、スイッチＳＷ３１に流れる電流が略零になった場合、充電開始信号を充電回路４１３に送信する。充電回路４１３は、充電開始信号に基づいて、電池２３０及び電池３１０の同時充電を開始する。その後、電池２３０の電圧が所定値、例えば、４．２Ｖ／ｃｅｌｌになった場合、電圧監視回路４１１は、充電回路４１３による電池２３０及び電池３１０の充電を停止させる。これにより、電池２３０及び電池３１０の充電が終了する。なお、充電の手順は、第１の実施形態の充電装置２１０と同じであるので、省略する。残量検出回路２５０は、電池２３０の電圧を検出する。そして、電池２３０の電圧が、充電回路４１３による電池２３０及び電池３１０の充電が終了する電圧値、すなわち、４．２Ｖ／ｃｅｌｌになった場合に、充電終了信号を出力制御回路２６０に送信する。プリンタ制御部２７０から出力切替信号を受信していた場合、出力制御回路２６０は、充電終了信号に基づいて、スイッチＳＷ２１を開放した後、スイッチＳＷ１１を閉鎖する。
【００６１】
以上の図４に示した回路構成により、電池２３０の電力切れで、駆動部２９０が駆動中に停止することを簡易な構造で防止している。更に、残量検出回路２５０が、電池２３０の電圧が所定値、例えば、３Ｖ／ｃｅｌｌまで低下した場合に、Ｎｅａｒ  Ｅｎｄ信号（検出信号）を送信することで、電池２３０の電力が完全に無くなる前に、電池３１０に残存する電力を供給することができ、電池２３０を再度充電することができる。また、電池２３０の電力が所定値、例えば、３Ｖ／ｃｅｌｌまで低下した際、駆動部２９０が駆動中、すなわち、印刷中であっても、電池３１０に残存する電力が供給されて、印刷中の１ページを印刷させることができる。更に、所定の必要な動作、すなわち、駆動部２９０を図示しないホームポジションに戻し、キャッピングをさせて、停止状態に移行させることができる。一方、駆動部２９０が待機中であれば、電池２３０及び電池３１０に残存する電力を昇圧回路２８０に供給して、所定の必要な動作、すなわち、駆動部２９０を図示しないホームポジションに戻し、キャッピングをさせて、停止状態に移行することで、スイッチＳＷ１１及びＳＷ２１を動作させる必要がなくなり、消費電力を削減することもできる。
【００６２】
また、出力制御回路２６０は、スイッチＳＷ１１及びＳＷ２１の一方しか閉鎖させないので、電池２３０の電力が所定値まで低下した際、確実に電池３１０に電力が残り、駆動部２９０が駆動中であっても、電池３１０に残存する電力で印刷中の１ページを印刷させた後、更に、停止状態に移行させることができる。更に、スイッチＳＷ１１を開放した後、スイッチＳＷ２１を閉鎖しているので、一瞬たりとて、スイッチＳＷ１１及びＳＷ２１が同時に閉鎖されず、電池３１０に残存する電力が電池２３０に供給されることを確実に防止できる。
【００６３】
また、電池２３０の電圧が所定値、例えば、３Ｖ／ｃｅｌｌ以下の場合、電池２３０と電池３１０の電位差が大きく、充電回路４１３から電池２３０及び電池３１０の同時充電ができないので、スイッチＳＷ３１を閉鎖することで、電池３１０から電池２３０に電流が流れ、電池２３０と電池３１０の電位差を略零にすることができる。よって、スイッチＳＷ３１に流れる電流を電流監視回路４２０で監視することで、上記電流が略零になった場合に、充電回路４１３は電池２３０及び電池３１０を同時充電することができる。
【００６４】
一方、電池２３０の電圧が所定値以上の場合、電池２３０と電池３１０の電位差が小さいので、スイッチＳＷ３１に流れる電流を電流監視回路４２０で監視することなく、充電回路４１３は電池２３０及び電池３１０を同時充電することができる。
【００６５】
次に、インクジェット式プリンタ１００、ＰＣ５００及びＵＳＢケーブル６００から構成される電力供給システムについて、図５を参照して説明する。なお、以下に説明する実施形態は特許請求の範囲にかかる発明を限定するものではなく、また、本実施形態の中で説明されている特徴の組み合わせの全てが発明の解決手段に必須であるとは限らない。更に、第１の実施形態乃至第３の実施形態と同様の部分には同じ符号を付し、詳しい説明は省略する。
図５は、第４乃至６の実施形態に係る電力供給システムの簡略図である。図５（ａ）は第４の実施形態に係る電力供給システム、図５（ｂ）は第５の実施形態に係る電力供給システム、図５（ｃ）は第６の実施形態に係る電力供給システムである。
【００６６】
まず、図５（ａ）に示す第４の実施形態に係る電力供給システムについて説明する。図５（ａ）に示す第４の実施形態に係る電力供給システムは、インクジェット式プリンタ１００、ＰＣ５００及びＵＳＢケーブル６００から構成されている。ＰＣ５００には、ＰＣ５００を動作させる電源である電池５１０が設けられている。また、インクジェット式プリンタ１００には、第１の実施形態に係る電力供給装置２００から、スイッチＳＷ１４及び補助電池２４０を削除した回路が設けられている。そして、ＰＣ５００内の電池５１０とインクジェット式プリンタ１００内の昇圧回路２８０とをＵＳＢケーブル６００で直接接続している。すなわち、第１の実施形態に係る電力供給装置２００の補助電池２４０をＰＣ５００内の電池５１０で代用した構成になっている。ＵＳＢケーブル６００は、例えば、５Ｖ、５００ｍＡ程度の電力を送信することができるので、インクジェット式プリンタ１００内の電池２３０の電力が所定値まで低下した場合でも、ＰＣ５００に内蔵された電池５１０に残存する電力を昇圧回路２８０に供給することで、駆動部２９０が駆動中に停止することを簡易な構成で防止することができる。
【００６７】
次に、図５（ｂ）に示す第５の実施形態に係る電力供給システムについて説明する。図５（ｂ）に示す第５の実施形態に係る電力供給システムは、第４の実施形態に係る電力供給システムと同様に、インクジェット式プリンタ１００、ＰＣ５００及びＵＳＢケーブル６００から構成されている。ＰＣ５００には、ＰＣ５００を動作させる電源である電池５１０が設けられている。また、インクジェット式プリンタ１００には、第１の実施形態に係る電力供給装置２００が設けられている。そして、ＰＣ５００内の電池５１０は、ＵＳＢケーブル６００を介して、充電装置２１０に接続されている。ＵＳＢケーブル６００は、例えば、５Ｖ、５００ｍＡ程度の電力を送信することができるので、充電装置２１０を介して、電池２３０及び補助電池２４０を充電することができる。これにより、インクジェット式プリンタ１００内の電池２３０の電力が所定値まで低下した場合でも、補助電池２４０に残存する電力を昇圧回路２８０に供給することで、駆動部２９０が駆動中に停止することを簡易な構成で防止できる。更に、ＰＣ５００内の電池５１０からインクジェット式プリンタ１００内の電池２３０及び補助電池２４０を充電することもできる。よって、ＰＣ５００内の電池５１０の電力で、駆動部２９０を再度、駆動させることもできる。
【００６８】
次に、図５（ｃ）に示す第６の実施形態に係る電力供給システムについて説明する。図５（ｃ）に示す第６の実施形態に係る電力供給システムは、第４及び第５の実施形態に係る電力供給システムと同様に、インクジェット式プリンタ１００、ＰＣ５００及びＵＳＢケーブル６００から構成されている。ＰＣ５００には、ＰＣ５００を動作させる電源である電池５１０が設けられている。また、インクジェット式プリンタ１００には、第２の実施形態に係る電力供給装置３００又は第３の実施形態に係る電力供給装置４００が設けられている。そして、ＰＣ５００内の電池５１０は、ＵＳＢケーブル６００を介して、充電装置３２０又は４１０に接続されている。ＵＳＢケーブル６００は、例えば、５Ｖ、５００ｍＡ程度の電力を送信することができるので、充電装置３２０又は４１０を介して、電池２３０及び電池３１０を充電することができる。これにより、インクジェット式プリンタ１００内の電池２３０の電力が所定値まで低下した場合でも、電池３１０に残存する電力を昇圧回路２８０に供給することで、駆動部２９０が駆動中に停止することを簡易な構成で防止できる。更に、ＰＣ５００内の電池５１０からインクジェット式プリンタ１００内の電池２３０及び電池３１０を充電することもできる。よって、ＰＣ５００内の電池５１０の電力で、駆動部２９０を再度、駆動させることもできる。
【００６９】
以上のように、第１の実施形態に係る電力供給装置２００によれば、駆動手段である駆動部２９０に電力を供給する電池２３０と、駆動部２９０に、少なくとも、所定の電力を供給する補助電池２４０と、電池２３０の残量を検出する検出手段である残量検出回路２５０と、駆動部２９０への電力供給を電池２３０と補助電池２４０の間で切り替える切替手段であるスイッチＳＷ１１及びＳＷ１２と、スイッチＳＷ１１及びＳＷ１２を制御する制御手段である出力制御回路２６０と、を備えている。更に、出力制御回路２６０は、残量検出回路２５０から送信された検出信号に基づいて、スイッチＳＷ１１及びＳＷ１２を動作させている。
【００７０】
これにより、電池２３０の電力が切れても、スイッチＳＷ１１及びＳＷ１２を動作させて、補助電池２４０に残存する電力を駆動部２９０に供給することで、駆動部２９０が駆動中に停止することを簡易な構成で防止できる。
【００７１】
また、第１の実施形態に係る電力供給装置２００によれば、駆動部２９０に電力を供給する電池２３０と、駆動部２９０に、少なくとも、所定の電力を供給する補助電池２４０と、電池２３０の残量を検出する残量検出回路２５０と、電池２３０又は補助電池２４０から供給された電圧を昇圧し、駆動部２９０へ供給する昇圧手段である昇圧回路２８０と、昇圧回路２８０への電力供給を電池２３０と補助電池２４０の間で切り替える出力切替手段であるスイッチＳＷ１１及びＳＷ１２と、スイッチＳＷ１１及びＳＷ１２を制御する出力制御回路２６０と、駆動部２９０を制御する駆動制御手段であるプリンタ制御部２７０と、を備えている。更に、残量検出回路２５０は、電池２３０の電力が所定値まで低下した場合に、プリンタ制御部２７０に検出信号を送信し、プリンタ制御部２７０は、検出信号に基づいて、駆動部２９０の動作状態を検出し、駆動部２９０が駆動中の場合に、出力切替信号を送信し、出力制御回路２６０は、出力切替信号に基づいて、スイッチＳＷ１１及びＳＷ１２を動作させて、電池２３０の代わりに、補助電池２４０の電力を昇圧回路２８０に供給している。
【００７２】
これにより、電池２３０の電力が所定値まで低下した際、駆動部２９０が駆動中であれば、補助電池２４０の電力を昇圧回路２８０に供給して、上記の動作を終了させることができる。よって、駆動部２９０が駆動中に停止することを簡易な構成で防止できる。
【００７３】
また、第１の実施形態に係る電力供給装置２００によれば、プリンタ制御部２７０は、駆動部２９０が待機中の場合には、出力切替信号を送信せず、電池２３０の電力を昇圧回路２８０に供給させている。これにより、電池２３０の電力が所定値まで低下した際、駆動部２９０が待機中であれば、電池２３０に残存する電力を昇圧回路２８０に供給して、駆動部２９０を停止状態にすることができる。よって、スイッチＳＷ１１及びＳＷ１２を動作させる必要がなくなり、消費電力を削減することもできる。
【００７４】
また、第１の実施形態に係る電力供給装置２００によれば、電池２３０及び補助電池２４０は、充放電可能な２次電池であるので、電池２３０及び補助電池２４０に電力が残存する場合、消費した電力のみ充電される関係上、電池２３０及び補助電池２４０に残存する電力を有効活用できる。
【００７５】
また、第１の実施形態に係る電力供給装置２００によれば、更に、電池２３０と補助電池２４０を充電する充電手段である充電装置２１０と、充電装置２１０からの電力供給を電池２３０と補助電池２４０の間で切り替える入力切替手段であるスイッチＳＷ１３及びＳＷ１４と、スイッチＳＷ１３及びＳＷ１４を制御する入力制御手段である入力制御回路２２０と、を備えている。更に、入力制御回路２２０は、スイッチＳＷ１３及びＳＷ１４を動作させて、電池２３０又は補助電池２４０の何れか一方を充電させた後、再度、スイッチＳＷ１３及びＳＷ１４を動作させて、他方の電池を充電させている。
【００７６】
これにより、電池２３０及び補助電池２４０の容量が異なる場合でも充電することができる。よって、補助電池２４０の容量を電池２３０の容量よりも、小さくすることもできる。
【００７７】
また、第２の実施形態に係る電力供給装置３００によれば、駆動部２９０に電力を供給する電池２３０と、駆動部２９０に、少なくとも、所定の電力を供給する電池３１０と、電池２３０の残量を検出する残量検出回路２５０と、電池２３０及び電池３１０から供給された電圧を昇圧し、駆動部２９０へ供給する昇圧回路２８０と、電池２３０から昇圧回路２８０への電力供給経路を開閉する第１の開閉手段であるスイッチＳＷ１１と、電池３１０から昇圧回路２８０へ供給する電圧を降下させる電圧降下素子であるダイオードＤ１と、ダイオードＤ１を短絡させる第２の開閉手段であるスイッチＳＷ２１と、スイッチＳＷ１１及びＳＷ２１を制御する出力制御回路２６０と、駆動部２９０を制御するプリンタ制御部２７０と、を備えている。更に、残量検出回路２５０は、電池２３０の電力が所定値まで低下した場合に、プリンタ制御部２７０に検出信号を送信し、プリンタ制御部２７０は、検出信号に基づいて、駆動部２９０の動作状態を検出し、駆動部２９０が駆動中の場合に、出力切替信号を送信し、出力制御回路２６０は、出力切替信号に基づいて、スイッチＳＷ１１を開放させた後、スイッチＳＷ２１を閉鎖している。
【００７８】
これにより、電池２３０の電力が所定値まで低下した際、駆動部２９０が駆動中であれば、スイッチＳＷ２１を閉鎖させてダイオードＤ１を短絡させることで、電池３１０に残存する電力を昇圧回路２８０に供給して、上記の動作を終了させることができる。よって、駆動部２９０が駆動中に停止することを簡易な構成で防止できる。
【００７９】
また、第２の実施形態に係る電力供給装置３００によれば、プリンタ制御部２７０は、駆動部２９０が待機中の場合には、出力切替信号を送信せず、電池２３０及び電池３１０の電力を昇圧回路２８０に供給させている。これにより、電池２３０の電力が所定値まで低下した際、駆動部２９０が待機中であれば、電池２３０及び電池３１０の電力を昇圧回路２８０に供給して、駆動部２９０を停止状態にすることができる。よって、スイッチＳＷ１１を開放させた後、スイッチＳＷ２１を閉鎖する必要がなくなり、消費電力を削減することもできる。
【００８０】
また、第２の実施形態に係る電力供給装置３００によれば、電池２３０及び電池３１０は、充放電可能な２次電池であるので、電池２３０及び電池３１０に電力が残存する場合、消費した電力のみ充電されるので、電池２３０及び電池３１０に残存する電力を有効活用できる。
【００８１】
また、第２の実施形態に係る電力供給装置３００によれば、更に、電池２３０と電池３１０を充電する充電装置３２０と、放電時に、電池２３０及び電池３１０から充電装置３２０に流れる逆電流を阻止する逆電流阻止手段であるダイオードＤ２及びＤ３と、を備えている。充電装置３２０は、ダイオードＤ２の電池２３０側の電圧を監視する電圧監視手段である電圧監視回路３２１と、電池２３０及び電池３１０を同時に充電する充電回路３２２を備え、電圧監視回路３２１は、電池２３０側の電圧が所定値になった場合に、充電回路３２２による充電を停止させている。
【００８２】
これにより、放電時に、電池２３０及び電池３１０の電力は、ダイオードＤ２及びＤ３により充電装置３２０に供給されないので、昇圧回路２８０に上記電力を効率良く供給することができる。
【００８３】
また、第３の実施形態に係る電力供給装置４００によれば、更に、電池２３０と電池３１０を充電する充電装置４１０と、電池３１０から電池２３０への経路を開閉する第３の開閉手段であるスイッチＳＷ３１と、スイッチＳＷ３１に流れる電流を監視する電流監視手段である電流監視回路４２０と、を備えている。更に、充電装置４１０は、電池２３０の電圧を監視する電圧監視手段である電圧監視回路４１１と、スイッチＳＷ３１を開閉させる開閉制御手段である開閉制御回路４１２と、電池２３０及び電池３１０を同時に充電する充電回路４１３を備え、電圧監視回路４１１は、電池２３０の電圧が所定値以下になった場合に、開閉制御回路４１２にスイッチＳＷ３１を閉鎖させ、電流監視回路４２０は、開閉制御回路４１２により閉鎖されたスイッチＳＷ３１を流れる電流を監視し、上記電流が略零になった場合に、充電回路４１３に両方の電池２３０及び３１０を充電させている。
【００８４】
これにより、電池２３０の電圧が所定値以下の場合、電池２３０と電池３１０の電位差が大きく、充電回路４１３から電池２３０及び電池３１０の同時充電ができないので、これにより、スイッチＳＷ３１を閉鎖して、電池２３０と電池３１０の電位差を略零にすることができる。よって、スイッチＳＷ３１に流れる電流を監視して、上記電流が略零になった場合に、電池２３０と電池３１０の電位差が略零になったと判断し、充電回路４１３から同時充電することができる。
【００８５】
また、第４の実施形態に係る電力供給システムによれば、駆動部２９０に電力を供給する電池２３０と、電池２３０の残量を検出する残量検出回路２５０と、駆動部２９０を制御するプリンタ制御部２７０と、を備える記録装置であるインクジェット式プリンタ１００と、少なくとも、所定の電力を供給する電池５１０を備える情報処理端末であるＰＣ５００と、インクジェット式プリンタ１００及びＰＣ５００を接続する信号及び電力を伝送可能なケーブルであるＵＳＢケーブル６００と、を備えている。更に、インクジェット式プリンタ１００は、更に、電池２３０又は電池５１０から供給された電圧を昇圧し、駆動部２９０へ供給する昇圧回路２８０と、昇圧回路２８０への電力供給を電池２３０と電池５１０の間で切り替えるスイッチＳＷ１１及びＳＷ１２と、スイッチＳＷ１１及びＳＷ１２を制御する出力制御回路２６０と、を備え、残量検出回路２５０は、電池２３０の電力が所定値まで低下した場合に、プリンタ制御部２７０に検出信号を送信し、プリンタ制御部２７０は、検出信号に基づいて、駆動部２９０の動作状態を検出し、駆動部２９０が待機中の場合に出力切替信号を送信せず、駆動部２９０が駆動中の場合に出力切替信号を送信し、出力切替信号に基づいて、出力制御回路２６０は出力切替手段を動作させて、電池２３０の代わりに、電池５１０の電力を昇圧回路２８０に供給している。
【００８６】
これにより、プリンタ１００内の電池２３０の電力が所定値まで低下した場合でも、スイッチＳＷ１１及びＳＷ１２を動作させて、ＰＣ５００に内蔵された電池５１０に残存する電力を昇圧回路２８０に供給することで、駆動部２９０が駆動中に停止することを簡易な構成で防止できる。
【００８７】
また、第５の実施形態に係る電力供給システムによれば、駆動部２９０に電力を供給する電池２３０と、駆動部２９０に、少なくとも、所定の電力を供給する補助電池２４０と、電池２３０の残量を検出する残量検出回路２５０と、電池２３０又は補助電池２４０から供給された電圧を昇圧し、駆動部２９０へ供給する昇圧回路２８０と、昇圧回路２８０への電力供給を電池２３０と補助電池２４０の間で切り替えるスイッチＳＷ１１及びＳＷ１２と、スイッチＳＷ１１及びＳＷ１２を制御する出力制御回路２６０と、駆動部２９０を制御するプリンタ制御部２７０と、を備え、残量検出回路２５０は、電池２３０の電力が所定値まで低下した場合に、プリンタ制御部２７０に検出信号を送信し、プリンタ制御部２７０は、検出信号に基づいて、駆動部２９０の動作状態を検出し、駆動部２９０が待機中の場合に出力切替信号を送信せず、駆動部２９０が駆動中の場合に出力切替信号を送信し、出力切替信号に基づいて、出力制御回路２６０はスイッチＳＷ１１及びＳＷ１２を動作させて、電池２３０の代わりに、補助電池２４０の電力を昇圧回路２８０に供給するインクジェット式プリンタ１００と、電池５１０を備えるＰＣ５００と、インクジェット式プリンタ１００及びＰＣ５００を接続するＵＳＢケーブル６００と、を備えている。更に、ＵＳＢケーブル６００を介して、電池５１０から電池２３０及び補助電池２４０を充電している。
【００８８】
これにより、インクジェット式プリンタ１００内の電池２３０の電力が所定値まで低下した場合でも、スイッチＳＷ１１及びＳＷ１２を動作させて、インクジェット式プリンタ１００内の補助電池２４０に残存する電力を昇圧回路２８０に供給することで、駆動部２９０が駆動中に停止することを簡易な構成で防止できる。更に、ＰＣ５００内の電池５１０からインクジェット式プリンタ１００内の電池２３０及び補助電池２４０を充電することで、駆動部２９０を再度、駆動させることもできる。
【００８９】
また、第６の実施形態に係る電力供給システムによれば、駆動部２９０に電力を供給する電池２３０と、駆動部２９０に、少なくとも、所定の電力を供給する電池３１０と、電池２３０の残量を検出する残量検出回路２５０と、電池２３０及び電池３１０から供給された電圧を昇圧し、駆動部２９０へ供給する昇圧回路２８０と、電池２３０から昇圧回路２８０への電力供給経路を開閉するスイッチＳＷ１１と、電池３１０から昇圧回路２８０へ供給する電圧を降下させるダイオードＤ１と、ダイオードＤ１を短絡させるスイッチＳＷ２１と、スイッチＳＷ１１及びスイッチＳＷ２１を制御する出力制御回路２６０と、駆動部２９０を制御するプリンタ制御部２７０と、を備え、残量検出回路２５０は、電池２３０の電力が所定値まで低下した場合に、プリンタ制御部２７０に検出信号を送信し、プリンタ制御部２７０は、検出信号に基づいて、駆動部２９０の動作状態を検出し、駆動部２９０が待機中の場合は出力切替信号を送信せず、駆動部２９０が駆動中の場合は出力切替信号を送信し、出力切替信号に基づいて、出力制御回路２６０はスイッチＳＷ１１を開放させた後、スイッチＳＷ２１を閉鎖するインクジェット式プリンタ１００と、電池５１０を備えるＰＣ５００と、インクジェット式プリンタ１００及びＰＣ５００を接続するＵＳＢケーブル６００と、を備えている。更に、ＵＳＢケーブル６００を介して、電池５１０から電池２３０及び電池３１０を充電している。
【００９０】
これにより、インクジェット式プリンタ１００内の電池２３０の電力が所定値まで低下した場合でも、スイッチＳＷ１１を開放させた後、スイッチＳＷ２１を閉鎖させて、インクジェット式プリンタ１００内の電池３１０に残存する電力を昇圧回路２８０に供給することで、駆動部２９０が駆動中に停止することを簡易な構成で防止できる。更に、ＰＣ５００内の電池５１０からインクジェット式プリンタ１００内の電池２３０及び電池３１０を充電することで、駆動部２９０を再度、駆動させることもできる。
【００９１】
なお、以上に述べた実施形態は、本発明の実施の一例であり、本発明の範囲はこれらに限定されるものでなく、特許請求の範囲に記載した範囲内で、他の様々な実施形態に適用可能である。例えば、第１の実施形態の電力供給装置２００では、プリンタ制御部２７０で、Ｎｅａｒ  Ｅｎｄ信号（検出信号）を受信したときの駆動部２９０の動作状態を検出し、駆動部２９０の動作状態が駆動状態か否かで、何れの電池を使用するか判断しているが、特にこれに限定されるものでなく、駆動部２９０の動作状態を検出しなくても良い。この場合、残量検出回路２５０はＮｅａｒ  Ｅｎｄ信号（検出信号）を出力制御回路２６０に送信し、出力制御回路２６０はＮｅａｒ  Ｅｎｄ信号（検出信号）に基づいて、スイッチＳＷ１１を開放した後、スイッチ１２を閉鎖することで、駆動部２９０の動作状態に関係なく、補助電池２４０の電力で、駆動部２９０を停止状態に移行させることができる。
【００９２】
また、第１の実施形態の電力供給装置２００では、電池２３０の電力が所定値まで低下した際、駆動部２９０が駆動中、すなわち、印刷中であれば、補助電池２４０に残存する電力を昇圧回路２８０に供給して、印刷中の１ページを印刷した後、停止状態に移行させているが、特にこれに限定されるものでなく、補助電池２４０に残存する電力があれば、停止状態に移行する前に、何ページ印刷しても良い。
【００９３】
また、第１の実施形態の電力供給装置２００では、スイッチＳＷ１３、スイッチＳＷ１４及び入力制御回路２２０を設け、入力制御回路２２０でスイッチＳＷ１３又はスイッチＳＷ１４の一方のみ閉鎖する制御を実行することで、充電装置２１０から電池２３０又は補助電池２４０の一方しか充電できない回路構成となっているが、特にこれに限定されるものでなく、電池２３０と補助電池２４０の容量を略同じにして、同時に充電しても良い。
【００９４】
また、第２の実施形態の電力供給装置３００では、電圧降下素子としてダイオードＤ１を使用しているが、特にこれに限定されるものでなく、電圧を降下させることができ、電流を図３に示す放電電流の方向にしか流さない素子であれば、何れの素子であっても適用可能である。同様に、充電装置３２０と電池２３０の間にダイオードＤ２が、充電装置３２０と電池３１０の間にダイオードＤ３が配設されているが、特にこれに限定されるものでなく、図３に示す充電電流の方向にしか流さない素子であれば、何れの素子であっても適用可能である。
【００９５】
また、第２の実施形態の電力供給装置３００でも、プリンタ制御部２７０で、Ｎｅａｒ  Ｅｎｄ信号（検出信号）を受信したときの駆動部２９０の動作状態を検出し、駆動部２９０の動作状態が駆動状態か否かで、何れの電池を使用するか判断しているが、特にこれに限定されるものでなく、駆動部２９０の動作状態を検出しなくても良い。この場合、残量検出回路２５０はＮｅａｒ  Ｅｎｄ信号（検出信号）を出力制御回路２６０に送信し、出力制御回路２６０はＮｅａｒ  Ｅｎｄ信号（検出信号）に基づいて、スイッチＳＷ１１を開放した後、スイッチ１２を閉鎖することで、駆動部２９０の動作状態に関係なく、電池３１０に残存する電力で、駆動部２９０を停止状態に移行させることができる。
【００９６】
また、第３の実施形態の電力供給装置４００でも、プリンタ制御部２７０で、Ｎｅａｒ  Ｅｎｄ信号（検出信号）を受信したときの駆動部２９０の動作状態を検出し、駆動部２９０の動作状態が駆動状態か否かで、何れの電池を使用するか判断しているが、特にこれに限定されるものでなく、駆動部２９０の動作状態を検出しなくても良い。この場合、残量検出回路２５０はＮｅａｒ  Ｅｎｄ信号（検出信号）を出力制御回路２６０に送信し、出力制御回路２６０はＮｅａｒ  Ｅｎｄ信号（検出信号）に基づいて、スイッチＳＷ１１を開放した後、スイッチ１２を閉鎖することで、駆動部２９０の動作状態に関係なく、電池３１０に残存する電力で、駆動部２９０を停止状態に移行させることができる。このようにすれば、電池２３０と電池３１０の間の電位差が小さくなるので、スイッチＳＷ３１を閉鎖し、電池３１０から電池２３０に電流を流して、電池２３０と電池３１０の間の電位差を略零にする必要も無く、よって、スイッチＳＷ３１に流れる電流を監視する電流監視回路４２０も不要となり、全体の回路構成をより簡易にすることもできる。
【００９７】
また、第３の実施形態の電力供給装置４００では、スイッチＳＷ３１に電流制限機能を持たせているが、特にこれに限定されるものでなく、スイッチＳＷ３１に電流制限機能を持たせなくても適用可能である。この場合、ダイオードＤ１の設定を見直すことで、電池２３０と電池３１０の間の電位差が小さくなり、電池３１０から電池２３０に流れる突入電流を電池許容レベル内にすることができる。
【００９８】
また、第３の実施形態の電力供給装置４００では、電圧降下素子としてダイオードＤ１を使用しているが、特にこれに限定されるものでなく、電圧を降下させることができ、電流を図３に示す放電電流の方向にしか流さない素子であれば、何れの素子であっても適用可能である。
【００９９】
また、第２及び第３の実施形態の電力供給装置３００、４００では、電池２３０の電力が所定値まで低下した際、駆動部２９０が駆動中、すなわち、印刷中であれば、電池３１０に残存する電力を昇圧回路２８０に供給して、印刷中の１ページを印刷した後、停止状態に移行させているが、特にこれに限定されるものでなく、電池３１０に残存する電力があれば、停止状態に移行する前に、何ページ印刷しても良い。
【０１００】
また、第４乃至６の実施形態の電力供給システムでは、ＰＣ５００とインクジェット式プリンタ１００をＵＳＢケーブル６００で接続しているが、特にこれに限定されるものでなく、信号だけでなく電力も送信できれば、他の何れのケーブルでも適用可能である。
【０１０１】
また、第４乃至６の実施形態の電力供給システムでは、情報処理端末としてＰＣ５００を使用しているが、特にこれに限定されるものでなく、電池５１０を内蔵している情報処理端末であれば、何れの端末でも適用可能である。
【産業上の利用可能性】
【０１０２】
駆動手段を駆動するための電力を電池から供給する電力供給装置を有する電子機器であれば、例えばファクシミリ装置、コピー装置等であっても適用可能である。
【図面の簡単な説明】
【０１０３】
【図１】本発明の実施の形態に係る記録装置の１つであるインクジェット式プリンタの外観構成を前面側から見たときの斜視図である。
【図２】第１の実施形態に係る電力供給装置の回路図である。
【図３】第２の実施形態に係る電力供給装置の回路図である。
【図４】第３の実施形態に係る電力供給装置の回路図である。
【図５】第４乃至６の実施形態に係る電力供給システムの簡略図である。
【符号の説明】
【０１０４】
１００  インクジェット式プリンタ、１１０  筐体、１１１  下ケース、
１１２  上ケース、１１３  排紙口、１１４  挿抜口、１１５  給紙口、
１１６  給紙扉、１１７  用紙ホルダ、１１８  凹部、
２００  電力供給装置、２１０  充電装置、２２０  入力制御回路、２３０  電池、
２４０  補助電池、２５０  残量検出回路、２６０  出力制御回路、
２７０  プリンタ制御部、２８０  昇圧回路、２９０  駆動部、
３００  電力供給装置、３１０  電池、３２０  充電装置、３２１  電圧監視回路、
３２２  充電回路、
４００  電力供給装置、４１０  充電装置、４１１  電圧監視回路、
４１２  開閉制御回路、４１３  充電回路、４２０  電流監視回路、
５００  ＰＣ、５１０  電池、６００  ＵＳＢケーブル、
ＳＷ１１、ＳＷ１２、ＳＷ１３、ＳＷ１４、ＳＷ２１、ＳＷ３１、スイッチ、
Ｄ１、Ｄ２、Ｄ３  ダイオード、
【図１】
2006285605.tif 000003
【図２】
2006285605.tif 000004
【図３】
2006285605.tif 000005
【図４】
2006285605.tif 000006
【図５】
2006285605.tif 000007